(57)【要約】      （修正有）【課題】一枚のフレキシブルプリント基板を折り曲げて装置本体の上面側及び背面側にそれぞれ配置される操作スイッチの実装面を同一面に配置すると共に、折り曲げ作業の容易化を図る仕組みを提供する。【解決手段】撮像装置の装置本体の内部に設けられるフレキシブルプリント基板１７において、接続部２８は、第１実装部１７ａに実装された操作スイッチ２４，２５が装置本体の上面部の操作ボタンに対応する位置に配置された状態で装置本体の下方向に折り曲げられて第１曲げ部３１、第２曲げ部３２及び第２実装部１７ｂを装置本体の背面側に配置する。第１曲げ部３１は、第２実装部１７ｂ及び第２曲げ部３２が装置本体の上方向を向くように折り曲げられる。第２曲げ部３２は、第２実装部１７ａが装置本体の下方向を向くように折り曲げられて、第２実装部１７ｂに実装された操作スイッチ３６ａを装置本体の背面部に設けられた操作ボタンに対応する位置に配置する。【選択図】図４
2013152411.tif 000002
【特許請求の範囲】
【請求項１】
装置本体と、
前記装置本体の上面部及び背面部にそれぞれ設けられる複数の操作部材と、
前記装置本体の内部に折り曲げられた状態で設けられるフレキシブルプリント基板と、を備える撮像装置であって、
前記フレキシブルプリント基板は、
前記装置本体の上面部に設けられる前記操作部材に対応する操作スイッチが実装される第１実装部と、
前記装置本体の背面部に設けられる前記操作部材に対応する操作スイッチが実装される第２実装部と、
前記第１実装部と前記第２実装部とを接続する接続部と、
前記接続部と前記第２実装部との間に設けられ、前記第１実装部及び前記第２実装部より狭い幅の第１曲げ部と、
前記第１曲げ部と前記第２実装部と間に設けられ、前記第１実装部及び前記第２実装部より狭い幅の第２曲げ部と、を有し、
前記フレキシブルプリント基板の展開状態で、前記第１実装部に対して前記第１曲げ部、前記第２曲げ部及び前記第２実装部が平行に配置され、
前記接続部は、前記第１実装部に実装された前記操作スイッチが前記装置本体の上面部の前記操作部材に対応する位置に配置された状態で前記装置本体の下方向に折り曲げられて前記第１曲げ部、前記第２曲げ部及び前記第２実装部を前記装置本体の背面側に配置し、
前記第１曲げ部は、前記接続部を折り曲げた状態で、前記第２実装部及び前記第２曲げ部が前記装置本体の上方向を向くように、前記装置本体の正面側に折り曲げられ、
前記第２曲げ部は、前記第１曲げ部を折り曲げた状態で、前記第２実装部が前記装置本体の下方向を向くように、前記装置本体の背面側に折り曲げられて、前記第２実装部に実装された前記操作スイッチを前記装置本体の背面部に設けられた前記操作部材に対応する位置に配置することを特徴とする撮像装置。
【請求項２】
前記第２実装部には、前記第１曲げ部及び前記第２曲げ部が折り曲げられた際に、前記第２実装部の浮きを防止する複数の舌片部が設けられることを特徴とする請求項１に記載の撮像装置。
【発明の詳細な説明】
【技術分野】
【０００１】
本発明は、例えばデジタルカメラ等の撮像装置に関する。
【背景技術】
【０００２】
デジタルカメラ等の撮像装置では、装置本体の上面部に電源スイッチやレリーズスイッチ等の操作部材が設けられ、装置本体の背面部に十字キーや操作ボタン等の操作部材が設けられる。
【０００３】
一方、装置本体の内部には、装置本体の上面側及び背面側の操作部材に対応する操作スイッチが実装された基板が設けられる。そして、操作部材が操作されると、対応する操作スイッチが押されて操作信号がメイン基板に送られ、これにより、所定の処理が実行される。
【０００４】
このような操作スイッチを実装する基板では、コスト増加を回避するため、一枚のフレキシブルプリント基板を折り曲げることで、装置本体の上面側及び背面側のスイッチ実装面を互いに異なる方向に向けて配置する技術が開示されている（特許文献１及び２）。
【先行技術文献】
【特許文献】
【０００５】
【特許文献１】特開２０１１−８６３２２号公報
【特許文献２】特許第４０９４４２０号公報
【発明の概要】
【発明が解決しようとする課題】
【０００６】
しかし、上記特許文献１及び２では、いずれも略均等な幅のフレキシブルプリント基板を折り曲げるため、曲げ抵抗が大きく、折り曲げ作業が面倒である。また、フレキシブルプリント基板の折り曲げにより異なる方向を向く複数のスイッチ実装面が互いに反対側の基板面に配置されてしまうため、基板両面に配線を行う必要が生じ、コストアップにつながる。
【０００７】
そこで、本発明は、一枚のフレキシブルプリント基板を折り曲げて装置本体の上面側及び背面側にそれぞれ配置される操作スイッチの実装面を同一面に配置することができると共に、折り曲げ作業の容易化を図ることができる仕組みを提供することを目的とする。
【課題を解決するための手段】
【０００８】
上記目的を達成するために、本発明は、装置本体と、前記装置本体の上面部及び背面部にそれぞれ設けられる複数の操作部材と、前記装置本体の内部に折り曲げられた状態で設けられるフレキシブルプリント基板と、を備える撮像装置であって、前記フレキシブルプリント基板は、前記装置本体の上面部に設けられる前記操作部材に対応する操作スイッチが実装される第１実装部と、前記装置本体の背面部に設けられる前記操作部材に対応する操作スイッチが実装される第２実装部と、前記第１実装部と前記第２実装部とを接続する接続部と、前記接続部と前記第２実装部との間に設けられ、前記第１実装部及び前記第２実装部より狭い幅の第１曲げ部と、前記第１曲げ部と前記第２実装部と間に設けられ、前記第１実装部及び前記第２実装部より狭い幅の第２曲げ部と、を有し、前記フレキシブルプリント基板の展開状態で、前記第１実装部に対して前記第１曲げ部、前記第２曲げ部及び前記第２実装部が平行に配置され、前記接続部は、前記第１実装部に実装された前記操作スイッチが前記装置本体の上面部の前記操作部材に対応する位置に配置された状態で前記装置本体の下方向に折り曲げられて前記第１曲げ部、前記第２曲げ部及び前記第２実装部を前記装置本体の背面側に配置し、前記第１曲げ部は、前記接続部を折り曲げた状態で、前記第２実装部及び前記第２曲げ部が前記装置本体の上方向を向くように、前記装置本体の正面側に折り曲げられ、前記第２曲げ部は、前記第１曲げ部を折り曲げた状態で、前記第２実装部が前記装置本体の下方向を向くように、前記装置本体の背面側に折り曲げられて、前記第２実装部に実装された前記操作スイッチを前記装置本体の背面部に設けられた前記操作部材に対応する位置に配置することを特徴とする。
【発明の効果】
【０００９】
本発明によれば、一枚のフレキシブルプリント基板を折り曲げて装置本体の上面側及び背面側にそれぞれ配置される操作スイッチの実装面を同一面に配置することができると共に、折り曲げ作業の容易化を図ることができる。
【図面の簡単な説明】
【００１０】
【図１】（ａ）は本発明の撮像装置の実施形態の一例であるデジタルカメラを正面側から見た外観斜視図、（ｂ）は（ａ）に示すデジタルカメラを背面側から見た外観斜視図である。
【図２】図１（ａ）に示すデジタルカメラの分解斜視図である。
【図３】図２を背面側から見た分解斜視図である。
【図４】操作フレキシブルプリント基板を折り曲げた状態の斜視図である。
【図５】操作フレキシブルプリント基板の展開図である。
【図６】操作フレキシブルプリント基板、サブシャーシ、メインシャーシ、メイン基板及び電池ボックス等を示す分解斜視図である。
【発明を実施するための形態】
【００１１】
以下、本発明の実施形態の一例を図面を参照して説明する。
【００１２】
図１（ａ）は本発明の撮像装置の実施形態の一例であるデジタルカメラを正面側から見た外観斜視図、図１（ｂ）は図１（ａ）に示すデジタルカメラを背面側から見た外観斜視図である。
【００１３】
図１（ａ）に示すように、本実施形態のデジタルカメラは、カメラ本体１の正面側に、ズーム式のレンズ鏡筒２、ファインダ窓７ａ、ストロボ発光窓２１ａ、及び補助光窓２０ａ等が設けられている。また、カメラ本体１の上面部には、電源ボタン３及びレリーズボタン４等が設けられ、レリーズボタン４の周囲には、ズームレバー５が設けられている。カメラ本体１は、本発明の装置本体の一例に相当する。
【００１４】
カメラ本体１の背面部には、図１（ｂ）に示すように、液晶等のディスプレイ６、ファインダ接眼窓７ｂ及び操作ボタン群８が設けられている。操作ボタン群８は、十字キーや複数の各種操作ボタンにより構成される。
【００１５】
また、カメラ本体１を背面側から見て右側の側面には、ストラップ取付用部材１０及び不図示の外部出力ケーブル用のコネクタを覆う開閉可能なコネクタ蓋９が設けられている。電源ボタン３、レリーズボタン４、ズームレバー５及び操作ボタン群８は、本発明の操作部材の一例に相当する。
【００１６】
図２は図１（ａ）に示すデジタルカメラの分解斜視図、図３は図２を背面側から見た分解斜視図である。
【００１７】
図２及び図３に示すように、カメラ本体１の内部には、カメラ本体１を正面側から見てレンズ鏡筒２の左側に、電池１５を挿入するための電池ボックス１１が設けられている。電池ボックス１１には、電源ボタン３、レリーズボタン４及びズームレバー５により構成されるトップユニット４０がカメラ本体１の上部から不図示の係止爪によって固定される。
【００１８】
また、電池ボックス１１の背面側には、メイン基板１６がビス等により固定されている。メイン基板１６に接続された不図示のバッテリ端子と電池１５とを電気的に接続することでカメラの電源が供給される。
【００１９】
電池ボックス１１の側面には、ストラップ取付用部材１０及びコネクタ蓋９が取り付けられている。電池ボックス１１の上部には、操作フレキシブルプリント基板１７が位置決めピン等により固定され、操作フレキシブルプリント基板１７の端子部は、メイン基板１６のコネクタに電気的に接続されている。
【００２０】
操作フレキシブルプリント基板１７には、トップユニット４０に配置された電源ボタン３、レリーズボタン４及びズームレバー５に対応する操作スイッチやズームパターンが配置されるとともに、操作ボタン群８に対応する操作スイッチ等が配置される。なお、操作フレキシブルプリント基板１７の詳細については、後述する。
【００２１】
レンズ鏡筒２と電池ボックス１１の間には、マイク１９がゴム等の弾性体により支持され、マイク１９は、メイン基板１６にケーブルを介して電気的に接続されている。マイク１９の上部には、操作フレキシブルプリント基板１７に実装されたオートフォーカス用の補助光ＬＥＤ２０が補助光窓２０ａに対応して配置されている。
【００２２】
レンズ鏡筒２の背面側には、カメラ本体１の背面を覆うようにメインシャーシ１４が配置されている。フロントカバー１２とリアカバー１３とは、不図示の係止爪によって互いに固定され、ビス等により電池ボックス１１やメインシャーシ１４等の構造体に固定される。
【００２３】
また、電池ボックス１１とメイン基板１６は、ビス等によりメインシャーシ１４に固定される。さらに、メインシャーシ１４と操作フレキシブルプリント基板１７との間には、サブシャーシ３０（図６参照）が配置される。
【００２４】
カメラ本体１を正面側から見てレンズ鏡筒２の右側には、ストロボユニット２１が配置され、ストロボユニット２１は、ビス等によりメインシャーシ１４に固定されている。ストロボユニット２１は、不図示のメインコンとストロボ基板が半田付けによって接続され、キセノン管とストロボ基板とがケーブルによって接続されている。
【００２５】
ストロボ基板に配置された不図示のトリガーコイルに電圧を供給することで、ストロボユニット２１が発光して、ストロボ発光窓２１ａからストロボ光が照射される。ストロボ基板は、操作フレキシブルプリント基板１７に電気的に接続されている。
【００２６】
レンズ鏡筒２の上方には、ファインダ７がファインダ窓７ａ及びファインダ接眼窓７ｂに対応して設けられ、ファインダ７に隣接する位置には、スピーカ２３が設けられている。ファインダ７及びスピーカ２３は、位置決めピン等によりレンズ鏡筒２に固定され、さらにビス等によりメインシャーシ１４に固定される。
【００２７】
スピーカ２３は、ケーブル等により操作フレキシブルプリント基板１７に電気的に接続される。レンズ鏡筒２の背面には、不図示の素子基板に実装された撮像素子が配置され、素子基板は、メイン基板１６に電気的に接続されている。
【００２８】
次に、図４〜図６を参照して、操作フレキシブルプリント基板１７について説明する。図４は操作フレキシブルプリント基板１７を折り曲げた状態の斜視図、図５は操作フレキシブルプリント基板１７の展開図である。図６は、操作フレキシブルプリント基板１７、サブシャーシ３０、メインシャーシ１４、メイン基板１６及び電池ボックス１１等を示す分解斜視図である。
【００２９】
図４〜図６に示すように、操作フレキシブルプリント基板１７は、カメラ本体１の上面側に配置される第１実装部１７ａ、カメラ本体１の背面側に配置される第２実装部１７ｂ、及び第１実装部１７ａと第２実装部１７ｂとを接続する接続部２８を備える。また、接続部２８と第２実装部１７ｂとの間には、第１曲げ部３１及び第２曲げ部３２が接続部２８から第２実装部１７ｂ側に向けて連続して設けられている。
【００３０】
ここで、図５に示すように、操作フレキシブルプリント基板１７の展開状態では、第１実装部１７ａと、第１曲げ部３１、第２曲げ部３２及び第２実装部１７ｂとは、略平行に配置される。
【００３１】
そして、第１実装部１７ａのレリーズスイッチ２４側の端部と第１曲げ部３１とが接続部２８で接続されることで、操作フレキシブルプリント基板１７が略Ｕ字形状をなしている。
【００３２】
第１実装部１７ａには、電源ボタン３、レリーズボタン４及びズームレバー５に対応する電源スイッチ２５、レリーズスイッチ２４、および不図示のズームパターンが電池ボックス１１の上方に位置して実装される。
【００３３】
電源ボタン３、レリーズボタン４及びズームレバー５の操作により、電源スイッチ２５、レリーズスイッチ２４、および不図示のズームパターンが動作して、操作信号が操作フレキシブルプリント基板１７からメイン基板１６に送られる。
【００３４】
レリーズスイッチ２４は、第１実装部１７ａにリフロー方式により半田付けされる。電源スイッチ２５は、メンブレンスイッチのシートキー２６で構成され、接着剤等により第１実装部１７ａに固定される。シートキー２６は、タクトスイッチに比べて非常に薄く、カメラ本体１の高さを抑えることができる。
【００３５】
また、第１実装部１７ａには、オートフォーカス用のＬＥＤ２０が、レリーズスイッチ２４と同様に、リフロー方式により半田付けされる。
【００３６】
第１実装部１７ａは、ファインダ７の上方を通ってストロボユニット２１の上方位置に達し、ストロボユニット２１の上方位置に、スピーカ２３を支持するスピーカ支持部２７が設けられる。
【００３７】
スピーカ２３は、ケーブルにより第１実装部１７ａに半田付けされて電気的に接続される。スピーカ支持部２７は、カバーレイ層が開口されており、露出した銅箔がグランドに接続され、スピーカ２３下部の金属部分と接触させることでスピーカ２３をグランドに接続する。
【００３８】
第１実装部１７ａのストロボユニット２１側の端部には、第１端子部１８が配置され、第１端子部１８は、ストロボ基板のコネクタに電気的に接続される。ストロボ基板からの信号線は、第１端子部１８を介して第１実装部１７ａを通り、メイン基板１６に接続される。
【００３９】
接続部２８は、第１実装部１７ａのレリーズスイッチ２４側の端部でカメラ本体１の下方向に略９０°折り曲げられて第１曲げ部３１、第２曲げ部３２及び第２実装部１７ｂをカメラ本体１の背面側に配置する。
【００４０】
接続部２８と第１曲げ部３１との間には、第２端子部２２が配置されており、第２端子部２２は、メイン基板１６側に１８０°折り曲げられてメイン基板１６のコネクタに電気的に接続される。第２端子部２２の近傍には、第２実装部１７ｂの浮き防止のための舌片部２９が設けられており、舌片部２９は、メイン基板１６とサブシャーシ３０との間に配置される。
【００４１】
第２端子部２２をメイン基板１６のコネクタに接続する際に、第２端子部２２が１８０°折り曲げられることにより、第２実装部１７ｂにはメイン基板１６から離れる方向への力が加わるため第２実装部１７ｂが浮いてしまう。この浮きを防止するために、舌片部２９をメイン基板１６とサブシャーシ３０との間に配置することで、舌片部２９がサブシャーシ３０に押さえられ、第２実装部１７ｂの浮きが防止される。
【００４２】
第１曲げ部３１は、第２実装部１７ｂ及び第２曲げ部３２が第１実装部１７ａに対して略直角にカメラ本体１の上方向を向くように、幅方向の線に対して略４５°の角度で斜めにカメラ本体１の正面側に１８０°折り曲げられる。
【００４３】
第２曲げ部３２は、第１曲げ部３１を折り曲げた状態で、第２実装部１７ｂが第１実装部１７ａに対して略直角にカメラ本体１の下方向を向くように、幅方向の線に沿ってカメラ本体１の背面側に１８０°折り曲げられる。
【００４４】
これにより、第２実装部１７ｂは、カメラ本体１の背面側で操作ボタン群８に対応する位置に配置され、第２実装部１７ｂには、操作ボタン群８に対応する操作スイッチ３６ａが設けられる。
【００４５】
操作スイッチ３６ａは、メンブレンスイッチのシートキー２６で構成され、接着剤等により第２実装部１７ｂに固定される。操作ボタン群８のいずれかの操作ボタンの操作により、対応する操作スイッチ３６ａが動作して、操作信号が操作フレキシブルプリント基板１７からメイン基板１６に送られる。
【００４６】
第１曲げ部３１及び第２曲げ部３２は、操作スイッチ３６ａからの信号のみを伝える箇所に設けられている。操作スイッチ３６ａからの信号の配線パターンは、ストロボユニット２１からの信号のように比較的大きな電流が流れる配線パターンとは異なり、細い配線パターンで構成することが可能である。
【００４７】
従って、第１曲げ部３１及び第２曲げ部３２は、第１実装部１７ａ及び第２実装部１７ｂに比べて狭く形成することができる。このため、第１曲げ部３１及び第２曲げ部３２を折り曲げる際の曲げ抵抗が小さくなり、折り曲げ作業の容易化を図ることができるとともに、操作フレキシブルプリント基板１７の浮きを抑制することができる。
【００４８】
また、第１曲げ部３１及び第２曲げ部３２で２回折り曲げることで、第１実装部１７ａ及び第２実装部１７ｂでの操作スイッチの実装面を操作フレキシブルプリント基板１７の同一面に配置することができ、片面基板とすることができる。
【００４９】
また、操作フレキシブルプリント基板１７は、展開状態では、略Ｕ字形状をなしているため、材料取りの歩留りを向上させることができ、コストダウン効果が得られる。更に、操作フレキシブルプリント基板１７を略Ｕ字形状にすることにより、２つのシートキー２６，３６を１回の工程で操作フレキシブルプリント基板１７に接着することができるため、コストダウンにつながる。
【００５０】
また、第２実装部１７ｂの上部には舌片部３３が設けられ、第２実装部１７ｂの下部には舌片部３４が設けられている。舌片部３３及び舌片部３４には、穴が形成されており、舌片部３３の穴は、サブシャーシ３０に形成された穴とともにメインシャーシ１４に突設されたピンに嵌合固定される。また、舌片部３４の穴は、サブシャーシ３０及びメインシャーシ１４にそれぞれ形成された穴とともに電池ボックス１１に突設されたピンに嵌合固定される。
【００５１】
また、第２実装部１７ｂの側部にも、浮き防止のための舌片部３５が設けられ、舌片部３５は、サブシャーシ３０に形成された切欠き穴に挿入される。舌片部３５がサブシャーシ３０の切欠き穴に挿入され、舌片部３３及び舌片部３４がサブシャーシ３０、メインシャーシ１４及び電池ボックス１１に固定されることで、第２実装部１７ｂのカメラ本体１背面側への浮きが防止される。
【００５２】
以上説明したように、本実施形態では、一枚の操作フレキシブルプリント基板１７を折り曲げてカメラ本体１の上面側及び背面側にそれぞれ配置される操作スイッチの実装面を同一面に配置することができると共に、折り曲げ作業の容易化を図ることができる。
【００５３】
なお、本発明の構成は、上記実施形態に例示したものに限定されるものではなく、材質、形状、寸法、形態、数、配置箇所等は、本発明の要旨を逸脱しない範囲において適宜変更可能である。
【符号の説明】
【００５４】
３  電源ボタン
４  レリーズボタン
８  操作ボタン群
１７  操作フレキシブルプリント基板
１７ａ  第１実装部
１７ｂ  第２実装部
２４  レリーズスイッチ
２５  電源スイッチ
２８  接続部
３１  第１曲げ部
３２  第２曲げ部
３６ａ  操作スイッチ
【図１】
2013152411.tif 000003
【図２】
2013152411.tif 000004
【図３】
2013152411.tif 000005
【図４】
2013152411.tif 000006
【図５】
2013152411.tif 000007
【図６】
2013152411.tif 000008